(57)【要約】【課題】納骨室形成石の開口部の上側に設けられた蓋石を、労力を要することなく開閉し得る墓石を提供する。【解決手段】墓石１Ａは、上側に開口部２ｂを有する芝台２と、開口部２ｂを覆う蓋石とを備える。蓋石は、開口部２ｂを覆い、かつ根太石開口部３ｂを有する根太石３と、根太石３に対して回転可能に上側に重ねて設けられ、かつ回転石開口窓部５ｃを有する回転石５とを含む。回転石５は、根太石開口部３ｂを通して芝台２の開口部２ｂを外部に露出させる開口部露出位置と、根太石開口部３ｂと回転石開口窓部５ｃとが重ならないようにして開口部２ｂを外部に対して非露出状態にする開口部非露出位置とを回転により切り替え可能となっている。【選択図】図１
0003209875.tif 000002
【実用新案登録請求の範囲】
【請求項１】
上側に開口部を有する納骨室形成石と、上記開口部を覆う蓋石とを備えた墓石において、
上記蓋石は、上記納骨室形成石の開口部を覆い、かつ第１開口を有する第１蓋石と、上記第１蓋石に対して回転可能に重ねて設けられ、かつ第２開口を有する第２蓋石とを含み、
上記第２蓋石は、上記第１蓋石の第１開口を通して納骨室形成石の開口部を外部に露出させる開口部露出位置と、第１蓋石の第１開口と第２蓋石の第２開口とが重ならないようにして上記開口部を外部に対して非露出状態にする開口部非露出位置とを回転により切り替え可能となっていることを特徴とする墓石。
【請求項２】
前記第２蓋石の下面又は上面における回転中心位置には回転軸となる突起又は該突起に遊嵌する遊嵌凹部のいずれか一方が設けられていると共に、上記第１蓋石の上面又は下面には、上記突起又は遊嵌凹部に対応する遊嵌凹部又は突起が設けられていることを特徴とする請求項１に記載の墓石。
【請求項３】
前記第２蓋石は、前記第１蓋石の上側に重ねて設けられていると共に、
前記第２蓋石の下面には、前記第１蓋石の上面を走行する車輪が設けられていることを特徴とする請求項１又は２に記載の墓石。
【請求項４】
前記第１蓋石は、前記第２蓋石を挟んで該第２蓋石の下側に設けられた第１下側蓋石と該第２蓋石の上側に設けられた第１上側蓋石とからなっていることを特徴とする請求項１又は２記載の墓石。
【請求項５】
前記第２蓋石の上面は、円錐台形状に盛り上がっていることを特徴とする請求項１〜４のいずれか１項に記載の墓石。
【請求項６】
前記第２蓋石の下面には前記第２開口の縁に沿って水切り溝が設けられていることを特徴とする請求項１〜５のいずれか１項に記載の墓石。
【請求項７】
前記第２蓋石には、該第２蓋石の回転を容易にさせる掴み部が形成されていることを特徴とする請求項１〜６のいずれか１項に記載の墓石。
【請求項８】
前記第２蓋石を、前記開口部非露出位置及び開口部露出位置にて磁力により位置決め固定する磁石が設けられていることを特徴とする請求項１〜７のいずれか１項に記載の墓石。
【請求項９】
前記第２蓋石における開口部非露出位置を保持して施錠する施錠機構が設けられていることを特徴とする請求項１〜８のいずれか１項に記載の墓石。
【考案の詳細な説明】
【技術分野】
【０００１】
本考案は、上側に開口部を有する納骨室形成石と、上記開口部を覆う蓋石とを備えた墓石に関するものである。
【背景技術】
【０００２】
従来、墓石のデザインも多様化し、和型、洋型、和洋型、デザイン型等の各種の墓石が設置されている。
【０００３】
例えば洋型の墓石は、近年、和式の墓石に代わって主流となりつつある。洋型の墓石は、例えば、特許文献１に開示された墓石のように、一般的に、全体的に横幅が広く背が低いのが特徴である。また、和型墓石よりも比較的大きさも小さく、安価であり、和型墓石と比較して自由度がある。例えば、竿石に故人が好きだった言葉を彫ったり、好きな花の彫刻を入れたりする等様々である。さらに、背が低いので掃除をするときに手が届き易くメンテナンスし易いこともあって、最近人気がある。
【０００４】
例えば、洋型の一例の墓石１００は、図２０の（ａ）（ｂ）（ｃ）（ｄ）に示すように、骨壺１１１を収納する納骨室１０１ａを形成する納骨室形成石１０１と、納骨室１０１ａを覆う蓋石１０２と、角台１０４と、竿石１０５とを備えている。
【０００５】
上記墓石１００では、骨壺１１１を収納する場合には、蓋石１０２を持ち上げて除いた後、納骨室１０１ａに上側から骨壺１１１を収納するようになっている。
【０００６】
また、他の洋型の一例の墓石２００は、図２１の（ａ）（ｂ）（ｃ）に示すように、骨壺２１１を収納する納骨室２０１ａを形成する納骨室形成石２０１と、納骨室２０１ａを覆う蓋石２０２と、角台２０３と、上台２０４と、竿石２０５とを備えている。
【０００７】
上記墓石２００では、骨壺２１１を収納する場合には、蓋石２０２を持ち上げて除いた後、納骨室２０１ａに上側から骨壺２１１を収納するようになっている。
【先行技術文献】
【特許文献】
【０００８】
【特許文献１】特開２００８−２５１３５号公報（２００８年２月７日公開）
【考案の概要】
【考案が解決しようとする課題】
【０００９】
しかしながら、上記従来の墓石では、骨壺１１１・２１１を収納する場合には、納骨室１０１ａ・２０１ａを開けるために、蓋石１０２・２０２を持ち上げて除かなければならない。このため、労力を要するという問題点を有している。
【００１０】
本考案は、上記従来の問題点に鑑みなされたものであって、その目的は、納骨室形成石の開口部の上側に設けられた蓋石を、労力を要することなく開閉し得る墓石を提供することにある。
【課題を解決するための手段】
【００１１】
本考案の一態様における墓石は、上記の課題を解決するために、上側に開口部を有する納骨室形成石と、上記開口部を覆う蓋石とを備えた墓石において、上記蓋石は、上記納骨室形成石の開口部を覆い、かつ第１開口を有する第１蓋石と、上記第１蓋石に対して回転可能に重ねて設けられ、かつ第２開口を有する第２蓋石とを含み、上記第２蓋石は、上記第１蓋石の第１開口を通して納骨室形成石の開口部を外部に露出させる開口部露出位置と、第１蓋石の第１開口と第２蓋石の第２開口とが重ならないようにして上記開口部を外部に対して非露出状態にする開口部非露出位置とを回転により切り替え可能となっていることを特徴としている。
【００１２】
上記本考案の一態様によれば、墓石は、上側に開口部を有する納骨室形成石と、上記開口部を覆う蓋石とを備えている。
【００１３】
この種の墓石では、納骨室形成石の開口部を納骨のために開閉するには、従来、開口部を覆う蓋石を持ち上げて移動した後、骨壺等を納骨室に収容し、その後、移動した蓋石を持ち上げて元の位置に戻して施蓋する作業が必須であり、納骨室形成石の開口部の上側に設けられた蓋石の開閉に労力を要していた。
【００１４】
これに対して、本考案の一態様では、上記蓋石は、納骨室形成石の開口部を覆い、かつ第１開口を有する第１蓋石と、上記第１蓋石に対して回転可能に重ねて設けられ、かつ第２開口を有する第２蓋石とを含む。
【００１５】
そして、第２蓋石は、第１蓋石の第１開口を通して納骨室形成石の開口部を外部に露出させる開口部露出位置と、第１蓋石の第１開口と第２蓋石の第２開口とが重ならないようにして上記開口部を外部に対して非露出状態にする開口部非露出位置とを回転により切り替え可能となっている。
【００１６】
この結果、本考案の一態様では、第２蓋石を回転して開口部露出位置にすれば、納骨室形成石の開口部を開状態とすることができると共に、納骨室に納骨した後には、第２蓋石を回転して開口部非露出位置にすれば、納骨室形成石の開口部を閉状態とすることができる。
【００１７】
このため、本考案の一態様では、蓋石を持ち上げて移動する必要がなく、第２蓋石を回転させるだけで、納骨室形成石の開口部の容易に開閉することができる。
【００１８】
したがって、納骨室形成石の開口部の上側に設けられた蓋石を、労力を要することなく開閉し得る墓石を提供することができる。
【００１９】
また、本考案の一態様における墓石は、前記墓石において、前記第２蓋石の下面又は上面における回転中心位置には回転軸となる突起又は該突起に遊嵌する遊嵌凹部のいずれか一方が設けられていると共に、上記第１蓋石の上面又は下面には、上記突起又は遊嵌凹部に対応する遊嵌凹部又は突起が設けられていることが好ましい。
【００２０】
これにより、第２蓋石を回転軸となる突起及び遊嵌凹部を中心として回転することができるので、第２蓋石を適切かつ容易に回転させることができる。また、第２蓋石は突起及び遊嵌凹部にて支持固定されるので、第２蓋石が平行移動することがない。このため、例えば、第２蓋石が奥側に移動して取れなくなることや第２蓋石が納骨室に落下することを防止することができる。
【００２１】
また、本考案の一態様における墓石は、前記墓石において、前記第２蓋石は、前記第１蓋石の上側に重ねて設けられていると共に、前記第２蓋石の下面には、前記第１蓋石の上面を走行する車輪が設けられていることが好ましい。
【００２２】
例えば、第２蓋石を回転する場合に、車輪がない場合には、第２蓋石と第１蓋石との石同士の摺動摩擦により必ずしも十分に容易に回転できるとは限らない。
【００２３】
しかし、本考案の一態様における墓石では、第２蓋石に車輪が設けられているので、第２蓋石を確実に容易に回転させることができる。
【００２４】
また、本考案の一態様における墓石では、前記墓石において、前記第１蓋石は、前記第２蓋石を挟んで該第２蓋石の下側に設けられた第１下側蓋石と該第２蓋石の上側に設けられた第１上側蓋石とからなっているとすることができる。
【００２５】
これにより、変化に富んだ形状を有する墓石を提供することができる。
【００２６】
また、本考案の一態様における墓石は、前記墓石において、前記第２蓋石の上面は、円錐台形状に盛り上がっているとすることができる。
【００２７】
これにより、第２蓋石は円形の回転石からなり、その上面は、外周側が中心側よりも低い傾斜面となっている。このため、第２蓋石の開口部非露出位置において、雨が第２蓋石の上面に降ったとしても、その雨水は外周側に流れる。この結果、雨水が第２蓋石の第２開口を通して、納骨室形成石の開口部に浸入するのを防止することができる。
【００２８】
また、本考案の一態様における墓石は、前記墓石において、前記第２蓋石の下面には前記第２開口の縁に沿って水切り溝が設けられていることが好ましい。
【００２９】
例えば、第２蓋石の上面に雨水が落下し、その雨水が第２蓋石の第２開口から下面及び壁面を伝い、延いては納骨室に至る虞がある。これに対して、本考案の一態様における墓石では、第２蓋石の下面には第２開口の縁に沿って水切り溝が設けられている。この結果、水滴が第２開口の縁の水切り溝に入り込み、水滴が奥入りし難くなる。したがって、水滴が納骨室に浸入するのを防止することができる。
【００３０】
また、本考案の一態様における墓石は、前記墓石において、前記第２蓋石には、該第２蓋石の回転を容易にさせる掴み部が形成されていることが好ましい。
【００３１】
また、本考案の一態様における墓石は、前記墓石において、前記第２蓋石の外周縁には、掴み部としての面取り部が部分的に形成されていることが好ましい。
【００３２】
例えば、第２蓋石を回転させる場合に、第２蓋石に掴み部がない場合には、例えば、第２蓋石の上面を指で押さえて該指に回転方向に押圧しなければならない。その際、指が滑る等により、第２蓋石に十分な回転力を与えることができず、第２蓋石を適切に回転できない虞がある。しかし、本考案の一態様における墓石では、第２蓋石には、該回転石の回転を容易にさせる掴み部が形成されている。このため、第２蓋石の掴み部に手を当てて第２蓋石を回転させることにより、指が滑ることなく、第２蓋石に十分な回転力を与えることができ、第２蓋石を容易に回転させることができる。
【００３３】
例えば、掴み部として、第２蓋石の外周縁には、面取り部が部分的に形成されているとすることができる。この場合には、面取り部に指を当てて第２蓋石を回転させることにより、面取り部が存在しない箇所に指が引っ掛かる。このため、指が滑ることなく、第２蓋石に回転力を与えることができるので、第２蓋石を容易に回転させることができる。
【００３４】
また、本考案の一態様における墓石は、前記墓石において、前記第２蓋石を、前記開口部非露出位置及び開口部露出位置にて磁力により位置決め固定する磁石が設けられていることが好ましい。
【００３５】
これにより、第２蓋石が開口部露出位置に保持されているときに、磁石を用いた磁力による位置決め固定ができる。このため、例えば、第２蓋石に車輪が設けてあったとしても、開口部露出位置に保持されている第２蓋石が容易に回転することはない。尚、第２蓋石を開口部非露出位置に回転させるときには、磁力に抗して第２蓋石を回転させればよいので、困難な作業ではない。
【００３６】
また、本考案の一態様における墓石は、前記墓石において、前記第２蓋石における開口部非露出位置を保持して施錠する施錠機構が設けられていることが好ましい。
【００３７】
すなわち、本考案の一態様における墓石においては、第２蓋石を回転させて容易に開口部露出位置とすることができるので、墓荒らしに遭遇する虞がある。
【００３８】
そこで、本考案の一態様における墓石においては、第２蓋石における開口部非露出位置の状態に対して、施錠機構にて施錠することができるようになっている。したがって、墓荒らしに遭遇することを防止することができる。
【考案の効果】
【００３９】
本考案の一態様によれば、納骨室形成石の開口部の上側に設けられた蓋石を、労力を要することなく開閉し得る墓石を提供するという効果を奏する。
【図面の簡単な説明】
【００４０】
【図１】（ａ）は本考案の実施形態１における墓石の回転石が閉じられた状態を示す斜視図であり、（ｂ）は上記墓石の回転石が回転して開けられた状態を示す斜視図である。
【図２】（ａ）は上記墓石の全体構成を示す平面図であり、（ｂ）は上記墓石の全体構成を示す正面図であり、（ｃ）は上記墓石の全体構成を示す右側面図である。
【図３】（ａ）は上記墓石の芝台の構成を示す斜視図であり、（ｂ）は上記墓石の芝台の構成を示す平面図であり、（ｃ）は上記墓石の芝台の構成を示す正面図であり、（ｄ）は上記墓石の芝台の構成を示す右側面図である。
【図４】（ａ）は上記墓石の根太石の構成を示す斜視図であり、（ｂ）は上記墓石の根太石の構成を示す平面図であり、（ｃ）は上記墓石の根太石の構成を示す正面図であり、（ｄ）は上記根太石の根太石開口部の縁部に形成された水返し部の構成を示す正面拡大図であり、（ｅ）は上記墓石の根太石の構成を示す右側面図である。
【図５】（ａ）は上記墓石の角台の構成を示す斜視図であり、（ｂ）は上記墓石の角台の構成を示す平面図であり、（ｃ）は上記墓石の角台の構成を示す正面図であり、（ｄ）は上記墓石の角台の構成を示す右側面図である。
【図６】（ａ）は上記墓石の回転石の構成を示す斜視図であり、（ｂ）は上記墓石の回転石の構成を示す底面図であり、（ｃ）は上記墓石の回転石の構成を示す正面図であり、（ｄ）は上記墓石の回転石の構成を示す右側面図であり、（ｅ）は上記墓石の回転石における戸車の構成を示す拡大正面図である。
【図７】（ａ）は上記墓石の回転石に設けられた戸車の構成を示す側面図であり、（ｂ）（ｃ）は上記墓石の回転石に設けられた戸車の構成を示す斜視図であり、（ｄ）は上記墓石の回転石に設けられた戸車の構成を示す正面図である。
【図８】（ａ）は上記墓石の竿石の構成を示す平面図であり、（ｂ）は上記墓石の竿石の構成を示す正面図であり、（ｃ）は上記墓石の竿石の構成を示す右側面図である。
【図９】（ａ）は本考案の実施形態２における墓石の回転石が閉じられた状態を示す斜視図であり、（ｂ）は上記墓石の回転石が閉じられた状態における、上記墓石の竿石を除いた状態を示す平面図であり、（ｃ）は上記墓石の回転石の構成を示す斜視図である。
【図１０】上記墓石の回転石が一部開けられた状態を示す平面図である。
【図１１】（ａ）は本考案の実施形態３における墓石の回転石が閉じられた状態を示す斜視図であり、（ｂ）は上記墓石の回転石が回転して開けられた状態を示す斜視図である。
【図１２】（ａ）は上記墓石の全体構成を示す平面図であり、（ｂ）は上記墓石の全体構成を示す正面図であり、（ｃ）は墓石の全体構成を示す右側面図である。
【図１３】（ａ）は上記墓石の回転石の構成を示す斜視図であり、（ｂ）は上記回転石の構成を下側から見た斜視図であり、（ｃ）は上記回転石の構成を示す左側面図である。
【図１４】（ａ）は上記墓石の回転石が開けられた状態を示す断面図であり、（ｂ）は上記墓石の回転石が開けられた状態を示す右側面断面図である。
【図１５】上記墓石の角台を下から見上げた状態を示す斜視図である。
【図１６】上記墓石の根太石、回転石及び角台の構成を示す分解斜視図である。
【図１７】（ａ）は本考案の実施形態４における墓石の構成を示す斜視図であり、（ｂ）は上記墓石の構成を示す正面図であり、（ｃ）は上記墓石の構成を示す平面図である。
【図１８】上記墓石の根太石、回転石及び施錠箱の構成を示す分解斜視図である。
【図１９】上記墓石における回転石の施錠動作の最終状態を示す要部拡大斜視図である。
【図２０】（ａ）は従来の一例の墓石の構成を示す斜視図であり、（ｂ）は上記墓石の構成を示す断面図であり、（ｃ）は上記墓石の蓋石が開けられた状態を示す斜視図であり、（ｄ）は上記墓石の蓋石の構成を示す斜視図である。
【図２１】（ａ）は従来の他の例の墓石の構成を示す斜視図であり、（ｂ）は上記墓石の構成を示す側面の断面図であり、（ｃ）は上記墓石の蓋石が開けられた状態を示す斜視図である。
【考案を実施するための形態】
【００４１】
〔実施の形態１〕
本考案の一実施形態について図１〜図８に基づいて説明すれば、以下のとおりである。
【００４２】
本実施の形態の墓石は、例えば、洋型墓石からなっていると共に、納骨室を有し、該納骨室の上側に蓋石を有しており、上側から骨壺等を納骨するようになっている。尚、本考案の一態様における墓石は、洋型墓石からなっているが、必ずしもこれに限らない。例えば、納骨室を有し、該納骨室の上側に蓋石を有しており、上側から骨壺等を納骨するようになっていれば、和型墓石であってもよく、又は和洋型墓石若しくはデザイン型墓石等の他のタイプの墓石でもよい。
【００４３】
本実施の形態の墓石の構成について、図１の（ａ）（ｂ）及び図２の（ａ）（ｂ）（ｃ）に基づいて説明する。図１の（ａ）は本実施の形態における墓石１Ａの回転石５が閉じられた状態を示す斜視図であり、図１の（ｂ）は墓石１Ａの回転石５が回転して開けられた状態を示す斜視図である。図２の（ａ）は墓石１Ａの全体構成を示す平面図である。図２の（ｂ）は墓石１Ａの全体構成を示す正面図である。図２の（ｃ）は墓石１Ａの全体構成を示す右側面図である。
【００４４】
本実施の形態の墓石１Ａは、図１の（ａ）及び図２の（ａ）（ｂ）（ｃ）に示すように、最下部に位置する芝台２と、芝台２の上に載置された第１蓋石としての根太石３と、根太石３の上に載置された角台４と、角台４の上に載置された上台６と、角台４の後述する角台凹部４ｂに収納されて該角台４と前記根太石３との間に設けられた第２蓋石としての回転石５と、上台６の上に載置された竿石７とを備えている。本実施の形態では、芝台２は、本考案の一態様における納骨室形成石に相当する。
【００４５】
上記墓石１Ａの芝台２について、図３の（ａ）（ｂ）（ｃ）（ｄ）に基づいて詳述する。図３の（ａ）は墓石１Ａの芝台２の構成を示す斜視図であり、図３の（ｂ）は墓石１Ａの芝台２の構成を示す平面図であり、図３の（ｃ）は墓石１Ａの芝台２の構成を示す正面図であり、図３の（ｄ）は墓石１Ａの芝台２の構成を示す右側面図である。
【００４６】
墓石１Ａの芝台２は、図３の（ａ）（ｂ）（ｃ）（ｄ）に示すように、中央部に略方形の開口部２ｂを有し、周囲は方形の枠状部２ａとなっている。開口部２ｂの下側は、納骨室として機能するようになっており、例えば骨壺が収納されるようになっている。開口部２ｂの底は地面が露出している。ただし、納骨室は必ずしも骨壺を収納するだけでなく、骨が直接収納される場合であってもよい。
【００４７】
納骨室の寸法は、本実施の形態では、例えば、幅４５ｃｍ×奥行８６ｃｍ×高さ２７ｃｍとなっている。ただし、これらの寸法は、一例であり、必ずしもこの寸法に限らない。
【００４８】
また、本実施の形態の芝台２の枠状部２ａは、左右の両側表面２ｃ・２ｄが左右の両側の外側に向けて下り勾配となる傾斜面となっている。このため、芝台２の上に根太石３を載置する際に、根太石３は、芝台２の枠状部２ａにおける水平表面部２ｅに載置されることになる。この結果、根太石３は、芝台２の枠状部２ａにおける水平表面部２ｅにおいて嵌合状態に載置され、その状態で両側表面２ｃ・２ｄが外側に向けて下り勾配となっているので、芝台２の開口部２ｂには、雨水等の水が入り難い構成となっている。
【００４９】
尚、本実施の形態の芝台２は、高さが２７ｃｍと低いものとなっている。したがって、骨壺等の納骨に際して高さが不足する場合には、芝台２の開口部２ｂにおける地面を掘り下げることが可能である。これにより、骨壺等の納骨に際して高さが不足することがなくなる。
【００５０】
また、本実施の形態の芝台２は、必ずしも高さが２７ｃｍと低いものにせず、納骨室の高さを確保するために、和型墓石に見られるように、さらに大きい高さを有しているとすることが可能である。
【００５１】
次に、墓石１Ａの根太石３について、図４の（ａ）（ｂ）（ｃ）（ｄ）（ｅ）に基づいて詳述する。図４の（ａ）は墓石１Ａの根太石３の構成を示す斜視図である。図４の（ｂ）は墓石１Ａの根太石３の構成を示す平面図である。図４の（ｃ）は上記墓石の根太石の構成を示す正面図である。図４の（ｄ）は根太石３の根太石開口部３ｂの縁部に形成された水返し部３ｃの構成を示す正面拡大図である。図４の（ｅ）は墓石１Ａの根太石３の構成を示す右側面図である。
【００５２】
墓石１Ａの根太石３は、本実施の形態では、芝台２の開口部２ｂの上面を覆う第１蓋石としての機能を有しており、図４の（ａ）（ｂ）（ｃ）（ｄ）（ｅ）に示すように、略全面が蓋形成部３ａとなっている。また、前側の一部が、骨壺又は骨を挿入可能な第１開口としての根太石開口部３ｂとなっている。根太石開口部３ｂの前側の側面は例えば湾曲して形成されている。そして、根太石開口部３ｂは、後述する回転石５によって開閉自在となっている。根太石開口部３ｂの縁部には、水返し部３ｃが立設されており、水返し部３ｃは、根太石開口部３ｂから立設された縁部が庇のように外側に向けて張り出したものとなっている。この水返し部３ｃによって、根太石３の上面の水が根太石開口部３ｂを通して芝台２の開口部２ｂに侵入しないようになっている。
【００５３】
根太石３の大きさは、例えば、幅８１ｃｍ×奥行１０８ｃｍ×高さ７．５ｃｍであり、根太石開口部３ｂの面積は、例えば、幅３０ｃｍ×奥行２２ｃｍであり、回転石５の水返し部３ｃの立設高さは、１．５ｃｍとなっている。ただし、これらの寸法は、一例であり、必ずしもこの寸法に限らない。
【００５４】
上記根太石３の蓋形成部３ａにおける上記根太石開口部３ｂの近傍の奥側には、突起としての回転中心突起３ｄが形成されている。この回転中心突起３ｄは、後述する回転石５の裏面に形成された遊嵌凹部としての回転中心突起遊嵌孔５ｅに遊嵌されることによって、回転石５が回転中心突起３ｄを中心として回転可能となっている。
【００５５】
また、回転中心突起３ｄを点対称とする位置には、根太石磁石３ｅ・３ｅが立設されている。根太石磁石３ｅ・３ｅは、例えばネオジム磁石からなっていることが好ましい。ネオジム磁石は、ネオジム、鉄、ホウ素を主成分とする希土類磁石の一つであり。永久磁石のうちでは最も強力とされているものである。尚、根太石磁石３ｅ・３ｅは、必ずしもネオジム磁石に限らず、一般の磁石であってもよい。
【００５６】
根太石磁石３ｅ・３ｅの取り付け位置は、後述する回転石５の裏面における円形凹部５ｂに設けられた回転石磁石５ｈ・５ｈの取り付け位置に一致している。すなわち、根太石磁石３ｅ・３ｅは、回転石５の円弧枠５ａの内側において、回転中心突起遊嵌孔５ｅを点対称とする位置に設けられた回転石磁石５ｈ・５ｈに対峙するようにして立設されている。
【００５７】
次に、墓石１Ａの角台４について、図５の（ａ）（ｂ）（ｃ）（ｄ）に基づいて詳述する。図５の（ａ）は墓石１Ａの角台４の構成を示す斜視図であり、図５の（ｂ）は墓石１Ａの角台４の構成を示す平面図であり、図５の（ｃ）は墓石１Ａの角台４の構成を示す正面図であり、図５の（ｄ）は墓石１Ａの角台４の構成を示す右側面図である。
【００５８】
墓石１Ａの角台４は、図５の（ａ）（ｂ）（ｃ）（ｄ）に示すように、方形となっており、例えば、幅７５ｃｍ×奥行７８ｃｍ×高さ９ｃｍとなっている。この角台４は、裏面の前面側に角台凹部４ｂを有しており、回転石５を収納できるようになっている。この角台凹部４ｂは例えば直方体形状の凹部となっており、角台凹部４ｂの大きさは、例えば、幅６０ｃｍ×奥行３５ｃｍ×高さ５．４ｃｍとなっている。しかし、必ずしもこれに限らず、回転石５の形状に合わせて半円形状等にすることが可能である。
【００５９】
次に、墓石１Ａの回転石５について、図６の（ａ）（ｂ）（ｃ）（ｄ）（ｅ）及び図７に基づいて詳述する。図６の（ａ）は、墓石１Ａの回転石５の構成を示す斜視図である。図６の（ｂ）は、墓石１Ａの回転石５の構成を示す底面図である。図６の（ｃ）は、墓石１Ａの回転石５の構成を示す正面図である。図６の（ｄ）は、墓石１Ａの回転石５の構成を示す右側面図である。図６の（ｅ）は、墓石１Ａの回転石５における戸車５ｆの構成を示す拡大正面図である。図７の（ａ）は、墓石１Ａの回転石５に設けられた戸車５ｆの構成を示す側面図である。図７の（ｂ）（ｃ）は、墓石１Ａの回転石５に設けられた戸車５ｆの構成を示す斜視図である。図７の（ｄ）は、墓石１Ａの回転石５に設けられた戸車５ｆの構成を示す正面図である。
図７は、墓石１Ａの回転石５に設けられた戸車５ｆの構成を示す斜視図である。
【００６０】
墓石１Ａの回転石５は、図６の（ａ）（ｂ）（ｃ）（ｄ）（ｅ）に示すように、例えば円形となっており、裏面に円形凹部５ｂを有することによって、回転石５の裏面の周囲が円弧枠５ａとして形成されている。尚、回転石５は円形に限らず、多角形等の形状にすることも可能である。この回転石５は、例えば、直径が６０ｃｍであり、円弧枠５ａの高さが４．５ｃｍであり、円形凹部５ｂの厚さが２．７ｃｍである。この結果、回転石５は、全体として略平板状となっており、回転し易いものとなっている。
【００６１】
回転石５の下側の円形凹部５ｂの中心には、遊嵌凹部としての前述した回転中心突起遊嵌孔５ｅが穿設されている。この回転中心突起遊嵌孔５ｅに前述した根太石３の回転中心突起３ｄが遊嵌されていることにより、回転石５が回転中心突起遊嵌孔５ｅを中心にして回転するようになっている。
【００６２】
また、回転石５の円形凹部５ｂの外周側の一領域には、第２開口としての回転石開口窓部５ｃが設けられており、この回転石開口窓部５ｃは、前述した根太石３の根太石開口部３ｂの開口形状に略等しく形成されている。ただし、回転石開口窓部５ｃを、根太石３の根太石開口部３ｂの開口形状に略等しくする必要はない。回転石開口窓部５ｃの大きさは、例えば、幅３０ｃｍ×最大奥行２２．５ｃｍであり、これによって、骨壺を容易に挿入できる広さとなっている。
【００６３】
回転石５が上記構成を有することによって、回転石５を、回転中心突起３ｄを中心として回転したときに、回転石５の回転石開口窓部５ｃと根太石３の根太石開口部３ｂとが重なって平面視において同一面上に一致したときに、根太石３の根太石開口部３ｂを通して芝台２の開口部２ｂを外部に露出させる開口部露出位置となる。すなわち、図１の（ｂ）に示すように、根太石開口部３ｂの根太石開口部３ｂが回転石５の回転石開口窓部５ｃによって開口状態となる。
【００６４】
一方、回転石開口窓部５ｃと根太石開口部３ｂとが平面視において、両者が一部でも重ならないときには、開口部非露出位置となる。すなわち、このときには、図１の（ａ）に示すように、根太石開口部３ｂの根太石開口部３ｂが回転石５の円形凹部５ｂによって閉状態となり、芝台２の開口部２ｂが外部に対して非露出状態となる。
【００６５】
尚、本実施の形態の回転石５における円弧枠５ａの内側には、回転中心突起遊嵌孔５ｅを点対称とする位置に、回転石磁石５ｈ・５ｈが設けられている。回転石磁石５ｈ・５ｈは、ネオジム磁石からなっていることが好ましい。
【００６６】
この回転石磁石５ｈ・５ｈの取り付け位置は、回転石５の回転石開口窓部５ｃが正面側に位置するときに、円弧枠５ａの内側の左右端に位置するように設けられている。そして、この回転石５の回転石開口窓部５ｃが正面側に位置するときにおいて、前述したように、回転石磁石５ｈ・５ｈの対向位置に根太石磁石３ｅ・３ｅが位置するようになっている。
【００６７】
この結果、回転石５が開口部露出位置となった場合、及び回転石５が開口部非露出位置となった場合には、位置合わせとして、回転石磁石５ｈ・５ｈ及び根太石磁石３ｅ・３ｅに基づく磁力による固定が行われる。このため、開口部露出位置又は開口部非露出位置が容易には解除されないようになっている。本実施の形態では、回転石磁石５ｈ・５ｈ及び根太石磁石３ｅ・３ｅは、回転中心突起遊嵌孔５ｅ及び回転中心突起３ｄを中心として点対称の位置に設けられている。この結果、開口部露出位置又は開口部非露出位置のいずれの位置においても、回転石磁石５ｈ・５ｈ及び根太石磁石３ｅ・３ｅの磁力が作用する。したがって、回転石磁石５ｈ・５ｈ及び根太石磁石３ｅ・３ｅを２組設けるだけで、開口部露出位置及び開口部非露出位置の両方に磁力を作用させることができるので、回転石磁石５ｈ・５ｈ及び根太石磁石３ｅ・３ｅの設置数の省略化が図れるようになっている。
【００６８】
尚、本実施の形態では、開口部露出位置又は開口部非露出位置の両方において磁力による固定が行われるが、必ずしも開口部露出位置又は開口部非露出位置の両方において磁力による固定を行う必要はない。例えば、開口部非露出位置において自然に回転石５が回転すると好ましくない。このため、少なくとも、開口部非露出位置において磁力による固定を行うことが好ましい。
【００６９】
ここで、本実施の形態の回転石５における円形凹部５ｂには、回転を滑らかに行うために、図６の（ａ）（ｂ）に示すように、戸車５ｆが例えば３箇所に設けられている。尚、戸車５ｆは必ずしも３箇所に限らず、４箇所〜６箇所、その他の箇所でもよい。
【００７０】
具体的には、戸車５ｆは、回転石５の円形凹部５ｂにおける、外周側リング状平坦部５ｇにおいて、回転石開口窓部５ｃの前側に一箇所と、円形凹部５ｂに内接する正三角形の他の２つの頂点の位置にそれぞれ一箇所の合計３箇所に取り付け固定されている。戸車５ｆの取り付け位置は、換言すれば、回転石開口窓部５ｃの前側に一箇所を設けると共に、他の２箇所は、回転中心突起遊嵌孔５ｅ及び回転中心突起３ｄの回りに中心角１２０度となるように合計３箇所に取り付け固定されている。この理由は、上記の３箇所以外で戸車５ｆが荷重を受けると、他の戸車５ｆが浮く虞があり、回転石５の回転に支障を来すためである。回転石５の上側に香焚き等の重量物を搭載する場合には、戸車５ｆを４箇所以上に設置することが可能であるが、戸車５ｆの高さ合わせに精度が要求される。
【００７１】
この戸車５ｆは、図７の（ａ）（ｂ）（ｃ）（ｄ）に示すように、例えば、市販されている戸車であり、この戸車５ｆが回転石５の半径に対して直交するように、換言すれば回転石５の円の接線方向に平行となるように取り付け固定されている。尚、本考案の一態様における車輪は、必ずしも戸車５ｆで構成する必要はなく、他の部材で構成することも可能である。ただし、車輪は、油が出たり錆びたりするのは好ましくない。
【００７２】
上記戸車５ｆの取り付け固定に関して、回転石５の円形凹部５ｂには、戸車５ｆの車輪部Ｗａを収納する図示しない車輪収納部と、戸車５ｆの取り付けボルトＷｂを螺合する取り付けナットＷｃを収納する図示しないナット収納部が穿設されている。この結果、戸車５ｆは回転石５の円形凹部５ｂに固定され、回転石５を容易に回転させるようになっている。
【００７３】
尚、この戸車５ｆの車輪部Ｗａは、図７の（ｄ）に示すように、回転石５の内周側が外周側よりも高さが低い、つまり傾斜していることが好ましい。これにより、回転を滑らかに行うことができる。
【００７４】
また、戸車５ｆは、油が出たり雨水によって錆びが出たりするのは好ましくない。このため、戸車５ｆは、例えば、オールステンレス、又は車輪部Ｗａがジュラコン等のエンプラからなっていることが好ましい。例えば、オールステンレス枠・ジュラコン車Ｖ型戸車が好ましい。また、ベアリング入りが好ましい。これらは、耐熱及び耐腐食仕様であることが好ましい。さらに、回転石５の上に重量物を搭載する場合には、オールステンレスの戸車５ｆが好ましい。
【００７５】
また、本実施の形態の回転石５には、図５の（ａ）に示すように、回転石５の下面には、回転石開口窓部５ｃの縁に沿って水切り溝５ｄが設けられている。この水切り溝５ｄの存在により、水滴が回転石開口窓部５ｃの手前の水切り溝５ｄに入り込み、水滴が納骨室に落下し難くなる。したがって、水滴が納骨室に落下するのを防止することができる。
【００７６】
尚、雨水の納骨室への浸入を考慮すると、回転石５は墓石１Ａの前側に下りとなる傾斜が設けられていることが好ましい。
【００７７】
次に、墓石１Ａの上台６及び竿石７について、前記図１の（ａ）（ｂ）及び図２の（ａ）（ｂ）（ｃ）、並びに図８の（ａ）（ｂ）（ｃ）に基づいて説明する。図８の（ａ）は、墓石１Ａの竿石７の構成を示す平面図である。図８の（ｂ）は、墓石１Ａの竿石７の構成を示す正面図である。図８の（ｃ）は、墓石１Ａの竿石７の構成を示す右側面図である。
【００７８】
墓石１Ａの上台６は、図１の（ａ）（ｂ）及び図２の（ａ）（ｂ）（ｃ）に示すように、角台４と竿石７との間に設けられる石であり、本実施の形態のように、一段からなる上台６であってよく、複数段からなる上台６であってよく、又は存在しなくてもよい。
【００７９】
次に、墓石１Ａの竿石７は、図１の（ａ）（ｂ）及び図８の（ａ）（ｂ）（ｃ）に示すように、墓石１Ａが洋型墓石からなっている場合には、傾斜面７ａに故人が好きだった言葉を彫ったり、好きな花の彫刻を入れたりされる一方、墓石１Ａが和型墓石からなっている場合には、例えば家の名前等の墓標となる文字を彫り込んだりされる。尚、本実施の形態の墓石１Ａは、洋型墓石を想定しているので、竿石７には、傾斜面７ａが形成されることが多いが、和型墓石では直方体である場合が多い。
【００８０】
上記構成の墓石１Ａにおける骨壺Ｂの納骨室への納骨動作について、図１の（ａ）（ｂ）に基づいて説明する。
【００８１】
まず、墓石１Ａの通常の状態においては、図１の（ａ）に示すように、墓石１Ａの回転石５は、芝台２の開口部２ｂを閉じた状態となっている。つまり、回転石５は、芝台２の開口部２ｂ及び根太石３の根太石開口部３ｂを該回転石５にて施蓋すべく、開口部２ｂを外部に対して非露出状態にする開口部非露出位置となっている。
【００８２】
この状態から例えば骨壺Ｂを納骨室へ納骨するためには、回転石５の表面に手の指又は掌を当接させて横方向に押圧する。押圧方向は、時計回り又は反時計回りのいずれでもよい。
【００８３】
これにより、回転石５は図示しない回転中心突起３ｄを中心として回転し、やがて、図１の（ｂ）に示すように、根太石３の根太石開口部３ｂと回転石５の回転石開口窓部５ｃとが重なり、芝台２の開口部２ｂが開口部露出位置となる。回転石５の回転に際しては、本実施の形態の回転石５に戸車５ｆが設けられているので、回転石５を簡単に回転させることができる。
【００８４】
また、本実施の形態では、回転石５の回転によって、開口部露出位置となったときには、回転石磁石５ｈ・５ｈ及び根太石磁石３ｅ・３ｅの磁力により、開口部露出位置が固定される。このため、開口部露出位置が容易に解除されることはない。
【００８５】
回転石５の開口部露出位置において、回転石開口窓部５ｃは骨壺Ｂを納骨室へ納骨するのに十分の広さを有しているので、骨壺Ｂを回転石開口窓部５ｃ及び根太石開口部３ｂを通して納骨室に開口部２ｂを通して容易に納骨することができる。
【００８６】
次いで、骨壺Ｂを納骨室に納骨した後、再度、回転石５の表面に手の指又は掌を当接させて横方向に押圧する。このときも、押圧方向は、時計回り又は反時計回りのいずれでもよい。尚、上述したように、開口部露出位置では回転石磁石５ｈ・５ｈ及び根太石磁石３ｅ・３ｅの磁力により開口部露出位置が固定されているが、この磁力による開口部露出位置の固定に抗して押圧すれば、回転石５を容易に回転させることができる。この結果、図１の（ａ）に示す回転石５の開口部非露出位置に容易に戻すことができる。そして、回転石５が開口部非露出位置となった場合には、位置合わせとして、回転石磁石５ｈ・５ｈ及び根太石磁石３ｅ・３ｅの磁力により磁力による固定が行われる。このため、回転石５の非露出位置が容易に解除されることはない。
【００８７】
このように、本実施の形態の墓石１Ａは、上側に開口部２ｂを有する納骨室形成石としての芝台２と、開口部２ｂを覆う蓋石とを備えている。そして、蓋石は、芝台２の開口部２ｂを覆い、かつ第１開口としての根太石開口部３ｂを有する第１蓋石としての根太石３と、根太石３に対して回転可能に重ねて設けられ、かつ第２開口としての回転石開口窓部５ｃを有する第２蓋石としての回転石５とを含む。
【００８８】
また、回転石５は、根太石３の根太石開口部３ｂを通して芝台２の開口部２ｂを外部に露出させる開口部露出位置と、根太石３の根太石開口部３ｂと回転石５の回転石開口窓部５ｃとが重ならないようにして開口部２ｂを外部に対して非露出状態にする開口部非露出位置とを回転により切り替え可能となっている。
【００８９】
また、回転石５は、回転石開口窓部５ｃを通して芝台２及び根太石３の開口部２ｂ及び根太石開口部３ｂを外部に露出させる開口部露出位置と、芝台２及び根太石３の開口部２ｂ及び根太石開口部３ｂを該回転石５にて施蓋すべく、開口部２ｂ及び根太石開口部３ｂを外部に対して非露出状態にする非露出位置とを回転により切り替え可能となっている。
【００９０】
この結果、本実施の形態の墓石１Ａでは、回転石５を回転して開口部露出位置にすれば、芝台２の開口部２ｂ及び根太石３の根太石開口部３ｂを開状態とすることができる。また、納骨室に納骨した後には、回転石５を回転して開口部非露出位置にすれば、芝台２の開口部２ｂ及び根太石３の根太石開口部３ｂを閉状態とすることができる。
【００９１】
このため、本実施の形態の墓石１Ａでは、回転石５を持ち上げて移動する必要がなく、回転石５を回転させるだけで、芝台２の開口部２ｂ及び根太石３の根太石開口部３ｂを容易に開閉することができる。また、回転石５は平板状にてなっているので、重量も大きくなく、容易に回転させることができる。
【００９２】
したがって、芝台２の開口部２ｂの上側に設けられた蓋石を、労力を要することなく開閉し得る墓石１Ａを提供することができる。
【００９３】
また、本実施の形態における墓石１Ａは、回転石５の下面における回転中心位置には回転軸となる遊嵌凹部としての回転中心突起遊嵌孔５ｅが設けられていると共に、根太石３の上面には、上記回転中心突起遊嵌孔５ｅに対応する突起としての回転中心突起３ｄが設けられている。
【００９４】
これにより、回転石５を回転軸となる回転中心突起３ｄ及び回転中心突起遊嵌孔５ｅを中心として回転することができるので、回転石５を適切かつ容易に回転させることができる。また、回転石５は回転中心突起３ｄ及び回転中心突起遊嵌孔５ｅにて支持固定されるので、回転石５が平行移動することがない。このため、例えば、回転石５が奥側に移動して取れなくなることや回転石５が納骨室に落下することを防止することができる。
【００９５】
また、本実施の形態における墓石１Ａでは、回転石５は、根太石３の上側に重ねて設けられていると共に、回転石１５の下面には、根太石３の上面を走行する車輪としての戸車５ｆが設けられている。
【００９６】
例えば、回転石５を回転する場合に、戸車５ｆがない場合には、石同士の接触摩擦により必ずしも十分に容易に回転できるとは限らない。
【００９７】
しかし、本実施の形態における墓石１Ａでは、回転石５に戸車５ｆが設けられているので、回転石５を確実に容易に回転させることができる。
【００９８】
また、本実施の形態における墓石１Ａは、回転石５の下面には回転石開口窓部５ｃの縁に沿って水切り溝５ｄが設けられている。
【００９９】
例えば、回転石５の上面に雨水が落下し、その雨水が回転石５の回転石開口窓部５ｃから下面及び壁面を伝い、延いては納骨室に至る虞がある。これに対して、本実施の形態における墓石１Ａでは、回転石５の下面には、回転石開口窓部５ｃの縁に沿って水切り溝５ｄが設けられている。この結果、水滴が回転石開口窓部５ｃの縁の水切り溝５ｄに入り込み、水滴が奥入りし難くなる。したがって、水滴が納骨室に浸入するのを防止することができる。
【０１００】
また、本実施の形態における墓石１Ａは、第２蓋石としての回転石５を、開口部非露出位置及び開口部露出位置にて磁力により位置決め固定する磁石としての回転石磁石５ｈ・５ｈ及び根太石磁石３ｅ・３ｅが設けられている。
【０１０１】
これにより、回転石５が開口部露出位置に保持されているときに、回転石磁石５ｈ・５ｈ及び根太石磁石３ｅ・３ｅを用いた磁力による位置決め固定ができる。このため、例えば、回転石５に車輪としての戸車５ｆが設けてあったとしても、開口部露出位置に保持されている回転石５が容易に回転することはない。尚、回転石５を開口部非露出位置に回転させるときには、磁力に抗して回転石５を回転させればよいので、困難な作業ではない。
【０１０２】
〔実施の形態２〕
本考案の他の実施の形態について図９及び図１０に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【０１０３】
前記実施の形態１の墓石１Ａでは、蓋石として、納骨室形成石としての開口部２ｂを覆い、かつ第１開口としての根太石開口部３ｂを有する第１蓋石としての根太石３と、根太石３に対して回転可能に該根太石３の上側に重ねて設けられ、かつ第２開口としての回転石開口窓部５ｃを有する第２蓋石としての回転石５とから構成されていた。
【０１０４】
これに対して、本実施の形態の墓石１Ｂでは、蓋石は、納骨室形成石としての根太石１３の根太石開口部１３ｂを覆い、かつ第１開口としての角台開口部１４ｂを有する第１蓋石としての角台１４と、角台１４に対して回転可能に下側に重ねて設けられ、かつ第２開口としての回転石開口窓部１５ｃを有する第２蓋石としての回転石１５とから構成されている点が異なっている。
【０１０５】
本実施の形態の墓石１Ｂの構成について、図９の（ａ）（ｂ）（ｃ）及び図１０に基づいて説明する。図９の（ａ）は、本実施の形態における墓石１Ｂの回転石１５が閉じられた状態を示す斜視図であり、図９の（ｂ）は墓石１Ｂの回転石１５が閉じられた状態における、墓石１Ｂの竿石７を除いた状態を示す平面図である。図９の（ｃ）は、上記墓石１Ｂの回転石１５の構成を示す斜視図である。図１０は、上記墓石１Ｂの回転石１５が一部開けられた状態を示す平面図である。
【０１０６】
本実施の形態の墓石１Ｂは、実施の形態１の墓石１Ａに比べて、高さが低くかつ占有面積が広いものとなっている。
【０１０７】
具体的には、本実施の形態の墓石１Ｂは、図９の（ａ）に示すように、前記実施の形態１の墓石１Ａに存在した芝台２がなく、地面に載置される根太石１３が最下段に設けられている。この結果、本実施の形態の墓石１Ｂでは、図９の（ｂ）に示すように、根太石１３に開口部としての根太石開口部１３ｂが設けられ、この根太石開口部１３ｂの下側が納骨室としての機能を有している。したがって、本実施の形態の墓石１Ｂでは、根太石１３の下側は地面が掘り下げて納骨室が形成されている。
【０１０８】
上記構成の墓石１Ｂでは、納骨室形成石としての上記根太石１３の根太石開口部１３ｂを覆い、かつ第１開口としての角台開口部１４ｂを有する第１蓋石としての角台４と、角台１４に対して回転可能に下側に重ねて設けられ、かつ第２開口としての回転石開口窓部１５ｃを有する第２蓋石としての回転石１５とから構成されている。
【０１０９】
また、図９の（ｂ）（ｃ）に示すように、上記回転石１５の上面中央には、突起としての回転中心突起１５ｇが設けられていると共に、図９の（ｂ）に示すように、回転石１５の上側において、角台１４の裏面には上記回転中心突起１５ｇに遊嵌される遊嵌凹部としての回転中心突起遊嵌孔１４ｅが穿設されている。
【０１１０】
また、本実施の形態の墓石１Ｂでは、回転石１５の面積が大きいので、回転石１５を回転させ難い。そこで、本実施の形態の墓石１Ｂにおける回転石１５の縁部には、図９の（ａ）（ｂ）（ｃ）に示すように、非面取り部１５ｉを挟んだ両側に掴み部としての面取り部１５ｈ・１５ｈが例えば４箇所に形成されている。この結果、回転石１５を回転させるときには、この面取り部１５ｈに指を当接して回転方向に押圧すれば、指が非面取り部１５ｉに引っ掛かるので、図１０に示すように、回転石１５を容易に回転させることができる。
【０１１１】
尚、本実施の形態では、回転石１５に掴み部としての面取り部１５ｈを設けたが、掴み部としては必ずしもこの構成に限らない。例えば、回転石１５の外周側面に孔部を複数形成することが可能である。これにより、回転石１５の外周側面の孔に指を引っ掛けることにより、容易に回転石１５を回転することができる。
【０１１２】
さらに、本実施の形態の回転石１５では、図９の（ｃ）に示すように、上面における回転石開口窓部１５ｃとは反対側には、傾斜面１５ｊが形成されている。傾斜面１５ｊは、外周側が低くなるように傾斜している。この結果、墓石１Ｂの回転石１５を閉じた状態においては、回転石１５の上面に雨水が落ちたときに、雨水が前面側に流れるようになっている。
【０１１３】
これ以外の構成は、前記実施の形態１の墓石１Ａと同じであるので説明を省略する。
【０１１４】
このように、本実施の形態の墓石１Ｂは、上側に開口部としての根太石開口部１３ｂを有する納骨室形成石としての根太石１３と、根太石開口部１３ｂを覆う蓋石とを備えている。
【０１１５】
そして、蓋石は、根太石１３の根太石開口部１３ｂを覆い、かつ第１開口としての角台開口部１４ｂを有する第１蓋石としての角台１４と、角台１４に対して回転可能に重ねて下側に設けられ、かつ第２開口としての回転石開口窓部１５ｃを有する第２蓋石としての回転石１５とから構成されている。
【０１１６】
そして、回転石１５は、角台１４の角台開口部１４ｂを通して根太石１３の根太石開口部１３ｂを外部に露出させる開口部露出位置と、角台１４の角台開口部１４ｂと回転石１５の回転石開口窓部１５ｃとが重ならないようにして開口部２ｂを外部に対して非露出状態にする開口部非露出位置とを回転により切り替え可能となっている。
【０１１７】
この結果、本実施の形態では、回転石１５を回転して開口部露出位置にすれば、根太石１３の根太石開口部１３ｂを開状態とすることができる。また、納骨室に納骨した後には、回転石１５を回転して開口部非露出位置にすれば、根太石１３の根太石開口部１３ｂを閉状態とすることができる。
【０１１８】
このため、本考案の一態様では、蓋石を持ち上げて移動する必要がなく、回転石１５を回転させるだけで、根太石１３の根太石開口部１３ｂを容易に開閉することができる。
【０１１９】
したがって、根太石１３の根太石開口部１３ｂの上側に設けられた蓋石を、労力を要することなく開閉し得る墓石を提供することができる。
【０１２０】
また、本実施の形態における墓石１Ｂは、回転石１５の上面における回転中心位置には回転軸となる突起としての回転中心突起１５ｇが設けられていると共に、角台１４の下面には、回転中心突起１５ｇに対応する遊嵌凹部としての回転中心突起遊嵌孔１４ｅが設けられている。
【０１２１】
これにより、回転石１５を回転軸となる回転中心突起１５ｇ及び回転中心突起遊嵌孔１４ｅを中心として回転することができるので、回転石１５を適切かつ容易に回転させることができる。また、回転石１５は回転中心突起１５ｇ及び回転中心突起遊嵌孔１４ｅにて支持固定されるので、回転石１５が平行移動することがない。このため、例えば、回転石１５が奥側に移動して取れなくなることや回転石１５が納骨室に落下することを防止することができる。
【０１２２】
また、本実施の形態の墓石１Ｂは、回転石１５には、該回転石１５の回転を容易にさせる掴み部が形成されている。具体的には、回転石１５の外周縁には、非面取り部１５ｉを挟んだ両側に掴み部としての面取り部１５ｈ・１５ｈが部分的に形成されている。
【０１２３】
すなわち、例えば、回転石１５を回転させる場合に、回転石１５に掴み部がない場合には、例えば、回転石１５の上面を指で押さえて該指に回転方向に押圧しなければならない。その際、指が滑る等により、回転石１５に十分な回転力を与えることができず、回転石１５を適切に回転できない虞がある。しかし、本実施の形態における墓石１Ｂでは、回転石１５には、該回転石１５の回転を容易にさせる掴み部が形成されている。このため、回転石１５の掴み部に手を当てて回転石１５を回転させることにより、指が滑ることなく、回転石１５に十分な回転力を与えることができ、回転石１５を容易に回転させることができる。
【０１２４】
具体的には、例えば、掴み部として、回転石１５の外周縁に、面取り部１５ｈ・１５ｈを部分的に形成した場合には、面取り部１５ｈに指を当てて回転石１５を回転させることにより、面取り部１５ｈが存在しない非面取り部１５ｉに指が引っ掛かる。この結果、指が滑ることなく、回転石１５に回転力を与えることができるので、回転石１５を容易に回転させることができる。
【０１２５】
〔実施の形態３〕
本考案のさらに他の実施の形態について図１１〜図１９に基づいて説明すれば、以下のとおりである。尚、本実施の形態において説明すること以外の構成は、前記実施の形態１及び実施の形態２と同じである。また、説明の便宜上、前記の実施の形態１及び実施の形態２の図面に示した部材と同一の機能を有する部材については、同一の符号を付し、その説明を省略する。
【０１２６】
前記実施の形態１の墓石１Ａの回転石５及び実施の形態２の墓石１Ｂの回転石１５は、上面が平面に形成されていた。
【０１２７】
これに対して、本実施の形態の墓石１Ｃでは、図１３の（ａ）（ｂ）（ｃ）に示すように、回転石５の上面が円錐形状に盛り上がっている点が異なっている。また、図１１の（ａ）（ｂ）に示すように、実施の形態２の墓石１Ｂにおける根太石１３の下に芝台２２（実施の形態１の墓石１Ａにおける芝台２に相当）が存在する点が異なっている。すなわち、本実施の形態の墓石１Ｃでは、第１蓋石は、第１下側蓋石としての根太石２３と第１上側蓋石としての角台２４とからなっており、第２蓋石としての回転石２５を挟んで、該回転石２５の上側及び下側の両方に設けられている点が異なっている。
【０１２８】
さらに、図１１の（ａ）（ｂ）に示すように、実施の形態２の墓石１Ｂにおける角台１４に相当する角台２４の直ぐ上に竿石７が存在し、実施の形態２の墓石１Ｂにおける角台１４と竿石７との間に存在した上台６が存在していない点で異なっている。
【０１２９】
本実施の形態の墓石１Ｃの構成について、図１１の（ａ）（ｂ）及び図１２の（ａ）（ｂ）（ｃ）、図１３の（ａ）（ｂ）（ｃ）、図１４の（ａ）（ｂ）、図１５、及び図１６に基づいて説明する。図１１の（ａ）は、本実施の形態における墓石１Ｃの回転石２５が閉じられた状態を示す斜視図であり、図１１の（ｂ）は、墓石１Ｃの回転石２５が回転して開けられた状態を示す斜視図である。図１２の（ａ）は、墓石１Ｃの全体構成を示す平面図である。図１２の（ｂ）は墓石１Ｃの全体構成を示す正面図である。図１２の（ｃ）は、墓石１Ａの全体構成を示す右側面図である。図１３の（ａ）は、上記墓石１Ｃの回転石２５の構成を示す斜視図である。図１３の（ｂ）は上記回転石２５の構成を下側から見た斜視図である。図１３の（ｃ）は上記回転石２５の構成を示す左側面図である。図１４の（ａ）は、本実施の形態における墓石１Ｃの回転石２５が開けられた状態を示す断面図である。図１４の（ｂ）は墓石１Ｃの回転石２５が開けられた状態を示す右側面断面図である。図１５は、墓石１Ｃの角台２４を下から見上げた状態を示す斜視図である。図１６は、上記墓石１Ｃの根太石２３、回転石２５及び角台２４の構成を示す分解斜視図である。
【０１３０】
本実施の形態の墓石１Ｃは、実施の形態２の墓石１Ｂに比べて、実施の形態１の墓石１Ａと同様に、芝台２２が設けられている。この結果、本実施の形態では、芝台２２が納骨室形成石となっている。また、本実施の形態では、第２蓋石としての回転石２５の下側と上側との両方に第１蓋石としての根太石２３と角台２４とが存在している。
【０１３１】
本実施の形態の芝台２２の開口部２２ｂは、実施の形態１の墓石１Ａの芝台２に比べて、図１４の（ａ）（ｂ）に示すように、横幅が広いものとなっている。尚、奥行きは、両者略同じである。この結果、本実施の形態の墓石１Ｃの納骨室は、実施の形態１の墓石１Ａの納骨室よりも大きいものとなっている。
【０１３２】
上記構成の墓石１Ｃは、納骨室形成石としての芝台２２を、図１４の（ａ）（ｂ）及び図１６に示すように、根太石開口部２３ｂを有する第１下側蓋石としての根太石２３が覆い、この根太石２３の根太石開口部２３ｂを、回転石開口窓部２５ｃを有する回転石２５が覆い、さらに根太石２３及び回転石２５を第１上側蓋石としての角台２４が覆うようになっている。
【０１３３】
ここで、本実施の形態の回転石２５は、図１２の（ａ）（ｂ）（ｃ）、図１３の（ａ）（ｂ）（ｃ）及び図１４の（ａ）（ｂ）に示すように、上面が円錐形状の円錐形成面２５ａとなっている。この結果、図１１の（ａ）に示すように、回転石２５が閉じた状態において、上面に傾斜が形成されているので、回転石２５の上面に降った雨水が墓石１Ｃの前側に流れる。この結果、回転石２５の上面に降った雨水を回転石２５の回転石開口窓部２５ｃに落下しないようにすることができる。
【０１３４】
また、本実施の形態の墓石１Ｃでは、図１３の（ｂ）に示すように、回転石２５の裏面に突起としての回転中心突起２５ｅが設けられていると共に、図１６に示すように、根太石２３には遊嵌凹部としての回転中心突起遊嵌孔２３ｄが形成されている。本実施の形態では、回転中心突起遊嵌孔２３ｄは、立設された筒部材の内径孔部にて形成されている。
【０１３５】
さらに、本実施の形態の墓石１Ｃでは、図１３の（ｂ）に示すように、回転石２５の裏面には、ネオジム磁石からなる２個の回転石磁石２５ｈ・２５ｈが設けられている。これに対して、図１６に示すように、根太石２３にはネオジム磁石からなる根太石磁石２３ｅが１個しか設けられていない。しかし、この構成によっても、回転石２５の２個の回転石磁石２５ｈ・２５ｈは、回転中心突起２５ｅの点対称に設けられているので、回転石２５の開口部非露出位置及び開口部露出位置のいずれにおいても磁力による固定を行うことができるようになっている。
【０１３６】
このように、本実施の形態の回転石２５は、上面が円錐形状となっている。このため、この回転石２５を覆う角台２４の底面は、図１５及び図１６（ａ）に示すように、回転石２５の円錐形状に沿う角台円錐形状凹部２４ｂとなっている。
【０１３７】
尚、その他の構成として、例えば、根太石２３に水返し２３ｃが設けられている点、回転石２５における回転石開口窓部２５ｃの縁には水切り溝２５ｄが形成されている点は、実施の形態１の墓石１Ａ及び実施の形態２の墓石１Ｂと同じである。
【０１３８】
上記構成の墓石１Ｃにおける骨壺Ｂの納骨室への納骨動作について、図１１の（ａ）（ｂ）に基づいて説明する。
【０１３９】
まず、墓石１Ｃの通常の状態においては、図１１の（ａ）に示すように、墓石１Ｃの回転石２５は、芝台２２の開口部２２ｂ（図１４の（ａ）（ｂ）参照）を閉じた状態となっている。つまり、回転石２５は、芝台２２の開口部２２ｂ及び根太石２３の根太石開口部２３ｂを該回転石２５にて施蓋すべく、開口部２２ｂを外部に対して非露出状態にする開口部非露出位置となっている。
【０１４０】
この状態において、本実施の形態の墓石１Ｃでは、回転石２５の上面が円錐形成面２５ａとなっている。このため、回転石２５の上面に雨水が負っても、円錐形成面２５ａにて雨水が前側に流れる。したがって、雨水が回転石開口窓部２５ｃ及び根太石開口部２３ｂを通して開口部２２ｂに浸入することはない。
【０１４１】
この状態から例えば骨壺Ｂを納骨室へ納骨するためには、回転石２５の表面又は外周面に手の指又は掌を当接させて横方向に押圧する。押圧方向は、時計回り又は反時計回りのいずれでもよい。
【０１４２】
これにより、回転石２５は前記回転中心突起２５ｅを中心として回転し、やがて、図１１の（ｂ）に示すように、根太石３の根太石開口部２３ｂと回転石２５の回転石開口窓部２５ｃとが重なり、芝台２２の開口部２２ｂが開口部露出位置となる。回転石２５の回転に際しては、本実施の形態の回転石２５に戸車２５ｆが設けられているので、回転石２５を簡単に回転させることができる。
【０１４３】
また、本実施の形態では、回転石２５の回転によって、開口部露出位置となったときには、回転石磁石２５ｈ・２５ｈ及び根太石磁石２３ｅの磁力により、開口部露出位置が固定される。このため、開口部露出位置が容易に解除されることはない。
【０１４４】
回転石２５の開口部露出位置において、回転石開口窓部２５ｃは骨壺Ｂを納骨室へ納骨するのに十分の広さを有しているので、骨壺Ｂを回転石開口窓部２５ｃ及び根太石開口部２３ｂを通して納骨室に開口部２２ｂを通して容易に納骨することができる。
【０１４５】
次いで、骨壺Ｂを納骨室に納骨した後、再度、回転石２５の表面に手の指又は掌を当接させて横方向に押圧する。このときも、押圧方向は、時計回り又は反時計回りのいずれでもよい。この結果、図１１の（ａ）に示す回転石２５の開口部非露出位置に容易に戻すことができる。そして、回転石２５が開口部非露出位置となった場合には、位置合わせとして、回転石磁石２５ｈ・２５ｈ及び根太石磁石２３ｅの磁力により磁力による固定が行われる。このため、回転石５の非露出位置が容易に解除されることはない。尚、このように、根太石磁石２３ｅは、回転中心突起遊嵌孔２３ｄに対して点対称の位置となることによって、１個でもよい。
【０１４６】
このように、本実施の形態の墓石１Ｃでは、第１蓋石は、第２蓋石としての回転石２５を挟んで該回転石２５の下側に設けられた第１下側蓋石としての根太石２３と該回転石２５の上側に設けられた第１上側蓋石としての角台２４とからからなっている。これにより、変化に富んだ形状を有する墓石１Ｃを提供することができる。
【０１４７】
また、本実施の形態における墓石１Ｃは、第２蓋石としての回転石２５の上面は、円錐台形状に盛り上がっている円錐形成面２５ａを有している。
【０１４８】
これにより、第２蓋石は円形の回転石２５からなり、その上面は、外周側が中心側よりも低い傾斜面となっている。このため、回転石２５の開口部非露出位置において、雨が回転石２５の上面に降ったとしても、その雨水は外周側に流れる。この結果、雨水が回転石２５の第２開口としての回転石開口窓部２５ｃを通して、納骨室形成石としての芝台２２の開口部２２ｂに浸入するのを防止することができる。
【０１４９】
〔実施の形態４〕
本考案のさらに他の実施の形態について図１７〜図１９に基づいて説明すれば、以下のとおりである。尚、本実施の形態において説明すること以外の構成は、前記実施の形態３と同じである。また、説明の便宜上、前記の実施の形態３の図面に示した部材と同一の機能を有する部材については、同一の符号を付し、その説明を省略する。
【０１５０】
本実施の形態の墓石１Ｄは、図１７の（ａ）（ｂ）（ｃ）に示すように、前記実施の形態３の墓石１Ｃに比べて回転石２５が回転しないように施錠する施錠機構３０が設けられている点が異なっている。
【０１５１】
本実施の形態の墓石１Ｄの構成について、図１７の（ａ）（ｂ）（ｃ）及び図１８に基づいて説明する。図１７の（ａ）は、本実施の形態の墓石１Ｄの構成を示す斜視図である。図１７の（ｂ）は、上記墓石１Ｄの構成を示す正面図である。図１７の（ｃ）は、上記墓石１Ｄの構成を示す平面図である。図１８は、上記墓石１Ｄの根太石２３、回転石２５及び施錠箱３１の構成を示す分解斜視図である。
【０１５２】
本実施の形態の墓石１Ｄは、図１７の（ａ）（ｂ）（ｃ）及び図１８に示すように、開口部非露出位置の回転石２５が回転しないように施錠する施錠機構３０が、根太石２３における回転石２５の前側に設けられている。
【０１５３】
上記施錠機構３０は、施錠箱３１と、施錠箱３１の回転石２５側に設けられた回転止め突起３２と、回転石２５の非開口側の外周に設けられた回転止め突起係合凹部３３と、施錠箱３１を位置決めすべく、根太石２３に固定して設けられた立設ピン３４と、施錠箱３１が立設ピン３４から抜けないように施錠する南京錠３５とからなっている。
【０１５４】
すなわち、本実施の形態では、根太石２３における根太石開口部２３ｂの前側に立設ピン３４が立設されている。この立設ピン３４は、例えば、根太石２３に貫通して設けられ、例えば、根太石２３の裏面側にて図示しないナットで固定されている。また、立設ピン３４の上側部分には、途中に軸細部３４ａが形成されており、この軸細部３４ａに南京錠３５のＵ字状の掛け金３５ａを引っ掛けるようになっている。
【０１５５】
上記立設ピン３４には、上側から施錠箱３１の底面に穿設された貫通孔３１ａに通されることによって、施錠箱３１が回転石２５の前側で位置決めされる。そして、施錠箱３１の回転石２５側には上部に回転止め突起３２が形成されているので、この位置決めされた位置で、施錠箱３１を下方移動させると、回転止め突起３２が回転石２５の周囲に形成された回転止め突起係合凹部３３に嵌り込む。これにより、回転石２５の回転が防止される。
【０１５６】
本実施の形態では、この回転石２５の回転が防止された状態をロックすべく、南京錠３５にて施錠することができる。すなわち、この状態において、施錠箱３１の貫通孔３１ａに通された立設ピン３４の軸細部３４ａに、施錠箱３１の前側の開口部分から、南京錠３５のＵ字状の掛け金３５ａを引っ掛ける。これにより、回転石２５が、施錠状態において回転防止される。詳細には、南京錠３５のＵ字状の掛け金３５ａは、立設ピン３４の軸細部３４ａに嵌められた状態となっているので、施錠箱３１の上下移動が抑制される。つまり、施錠箱３１が立設ピン３４から抜けない。
【０１５７】
このように、本実施の形態の墓石１Ｄでは、回転石２５を開口部非露出位置に固定して施錠することができるようになっている。
【０１５８】
尚、本実施の形態の施錠箱３１は、例えば石からなっており、南京錠３５を立設ピン３４の回りに回転できるスペースを有している。このため、図１９に示すように、南京錠３５を施錠箱３１において、長手方向に沿って置くことができるようになっている。
【０１５９】
上記構成の墓石１Ｄにおける回転石２５の施錠動作について、図１７の（ａ）（ｂ）（ｃ）、図１８及び図１９に基づいて説明する。図１９は、回転石２５における施錠動作の最終状態を示す要部拡大斜視図である。
【０１６０】
まず、図１７の（ａ）（ｂ）（ｃ）に示すように、回転石２５を開口部非露出位置の状態にする。これにより、回転石２５の回転止め突起係合凹部３３が立設ピン３４に対向する位置となる。この状態で、図１８に示すように、施錠箱３１の貫通孔３１ａを立設ピン３４に通す。この結果、施錠箱３１の回転石２５側に設けられた回転止め突起３２が回転石２５の回転止め突起係合凹部３３に嵌り込む。この状態で、南京錠３５のＵ字状の掛け金３５ａを施錠箱３１の前側の開口部分から挿入し、掛け金３５ａを立設ピン３４の軸細部３４ａに引っ掛ける。最後に、南京錠３５を立設ピン３４の軸細部３４ａの回りに回転させて、図１９に示すように、南京錠３５を施錠箱３１の長手方向に一致させる。
【０１６１】
これにより、南京錠３５を施錠箱３１に収容することができる。また、施錠箱３１を持ち上げようとしても、南京錠３５の存在により施錠箱３１の上方移動が禁止される。つまり、施錠箱３１が立設ピン３４から抜けない。この結果、回転石２５の回転が施錠箱３１の回転止め突起３２の回転石２５の回転止め突起係合凹部３３への係合によって禁止されるので、回転石２５は回転できない。
【０１６２】
尚、解錠するときには、南京錠３５を施錠箱３１内で回転させ、上記の施錠動作とは逆の動作をすることによって、回転石２５を回転させることができる。
【０１６３】
このように、本実施の形態における墓石１Ｄは、第２蓋石としての回転石２５における開口部非露出位置を保持して施錠する施錠機構３０が設けられている。
【０１６４】
すなわち、本実施の形態の墓石１Ｄにおいては、回転石２５を回転させて容易に開口部露出位置とすることができるので、墓荒らしに遭遇する虞がある。
【０１６５】
そこで、本実施の形態の墓石１Ｄにおいては、回転石２５における開口部非露出位置の状態に対して、施錠機構３０にて施錠することができるようになっている。したがって、墓荒らしに遭遇することを防止することができる。
【０１６６】
尚、本考案は、上述した各実施形態に限定されるものではなく、請求項に示した範囲で種々の変更が可能であり、異なる実施形態にそれぞれ開示された技術的手段を適宜組み合わせて得られる実施形態についても本考案の技術的範囲に含まれる。さらに、各実施形態にそれぞれ開示された技術的手段を組み合わせることにより、新しい技術的特徴を形成することができる。
【符号の説明】
【０１６７】
１Ａ〜１Ｄ    墓石
２            芝台（納骨室形成石）
２ａ          枠状部
２ｂ          開口部（開口部）
２ｃ・２ｄ    両側表面
２ｅ          水平表面部
３            根太石（第１蓋石）
３ａ          蓋形成部
３ｂ          根太石開口部（第１開口）
３ｄ          回転中心突起（突起）
３ｅ          根太石磁石（磁石）
４            角台（蓋石）
４ｂ          角台凹部
５            回転石（第２蓋石）
５ａ          円弧枠
５ｂ          円形凹部
５ｃ          回転石開口窓部（第２開口）
５ｄ          水切り溝
５ｅ          回転中心突起遊嵌孔（遊嵌凹部）
５ｆ          戸車（車輪）
５ｇ          外周側リング状平坦部
５ｈ          回転石磁石（磁石）
６            上台
７            竿石
１３            根太石（納骨室形成石）
１３ｂ          根太石開口部（開口部）
１４            角台（第１蓋石）
１４ｂ          角台開口部（第１開口）
１４ｅ          回転中心突起遊嵌孔（遊嵌凹部）
１５            回転石（第２蓋石）
１５ｃ          回転石開口窓部（第２開口）
１５ｇ          回転中心突起（突起）
１５ｈ          面取り部（掴み部）
１５ｉ          非面取り部
２２            芝台（納骨室形成石）
２２ｂ          開口部
２３            根太石（第１蓋石、第１下側蓋石）
２３ｂ          根太石開口部
２３ｃ          水返し
２３ｄ          回転中心突起遊嵌孔（遊嵌凹部）
２３ｅ          根太石磁石(磁石)
２４            角台（第１蓋石、第１上側蓋石）
２５            回転石（第２蓋石）
２５ａ          円錐形成面
２５ｃ          回転石開口窓部（第２開口）
２５ｄ          水切り溝
２５ｅ          回転中心突起（突起）
２５ｈ          回転石磁石(磁石)
３０            施錠機構
３１            施錠箱
３２            回転止め突起
３３            回転止め突起係合凹部
３４            立設ピン
３５            南京錠
３５ａ          掛け金
Ｗａ          車輪部
Ｗｂ          ボルト
Ｗｃ          ナット
【図１】
0003209875.tif 000003
【図２】
0003209875.tif 000004
【図３】
0003209875.tif 000005
【図４】
0003209875.tif 000006
【図５】
0003209875.tif 000007
【図６】
0003209875.tif 000008
【図７】
0003209875.tif 000009
【図８】
0003209875.tif 000010
【図９】
0003209875.tif 000011
【図１０】
0003209875.tif 000012
【図１１】
0003209875.tif 000013
【図１２】
0003209875.tif 000014
【図１３】
0003209875.tif 000015
【図１４】
0003209875.tif 000016
【図１５】
0003209875.tif 000017
【図１６】
0003209875.tif 000018
【図１７】
0003209875.tif 000019
【図１８】
0003209875.tif 000020
【図１９】
0003209875.tif 000021
【図２０】
0003209875.tif 000022
【図２１】
0003209875.tif 000023